(57)【要約】【課題】  パチンコ業界の取引体系の健全化を図ること。【解決手段】  遊技場1の遊技場専用端末11と、金地金業者5と金地金委託販売等契約を結んだＡＳＰ事業本部4の本部サーバ41と、景品問屋3の問屋サーバ31と、ＡＳＰ事業代理店2の代理店専用端末21と、金地金業者の業者サーバとから構成され、遊技機１５を用いて顧客が獲得した獲得品を基に賞品を顧客に引き換える賞品引換システムであって、遊技場専用端末11が、顧客が獲得した玉数を計数して金地金の重量に換算した金地金データをＩＣカード13に記録したとき、本部サーバ41が、前記通知された金地金データを基に金地金を景品問屋3に販売して当該販売の通知を行うことにより、問屋サーバ3が、通知された金地金を遊技場1に販売し、顧客によってＩＣカードが代理店端末に持ち込まれたとき、金地金データを本部サーバに転送して金地金データの真偽を確認した後に、金地金を質草とした貸し出し金銭額を算出するもの。【選択図】  図１
2007296017.tif 000002
【特許請求の範囲】
【請求項１】
遊技場に設置される遊技場専用端末と、貴金属類業者と貴金属類委託販売等契約を結んだＡＳＰ事業本部に設置される本部サーバと、景品問屋に設置される問屋サーバと、ＡＳＰ事業代理店に設置される代理店専用端末と、貴金属類の販売を行う貴金属類業者の業者サーバとから構成され、遊技機を用いて顧客が獲得した獲得品を基に賞品の貴金属類を顧客に引き換える質屋的機能を有する賞品引換システムであって、
前記遊技場専用端末が、前記顧客が獲得した獲得品数を計数して所定の換算単価を基に貴金属類の重量に換算する機能と、該換算された貴金属類の重量を含む貴金属類データをＩＣカードに記録する機能と、該ＩＣカードへ記録した前記貴金属類データを問屋サーバへ通知する機能とを有し、
前記本部サーバが、問屋サーバから通知された貴金属類データを基に貴金属類を景品問屋に販売したことを景品問屋サーバに通知する機能と、前記代理店サーバが本部サーバに転送した、前記ＩＣカードに記録された貴金属類データの真偽を確認して貴金属類データの真偽を前記代理店サーバに通知する機能とを有し、
前記問屋サーバが、遊技場専用端末から通知された貴金属類データを基に前記本部サーバに対して購入する貴金属類データを送信する機能と、前記本部サーバから通知された貴金属類データを基に貴金属類を遊技場に販売したことを遊技場専用端末に通知する機能とを有し、
前記代理店専用端末が、前記ＩＣカードに記録された貴金属類データを本部サーバに転送する機能と、該転送により本部サーバが貴金属類データが正しいと確認したとき、該貴金属類データに含まれる貴金属類の重量を基に、当該貴金属類を質物とした貸し出し金銭額を算出する機能と、該算出した質物の質札を発行する機能とを有することを特徴とする質屋的機能を有する賞品引換システム。
【請求項２】
前記代理店専用端末が、前記算出した質物の質札を発行する機能を実行したとき、前記ＩＣカードのデータから前記質札を発行した貴金属類データを削除する機能を有することを特徴とする請求項１記載の質屋的機能を有する賞品引換システム。
【請求項３】
前記代理店専用端末が、前記貸し出した金銭が返却されたとき、貴金属類の重量を指定した引換券を発行する機能と、該引換券を発行したことを本部サーバに通知する機能とを有し、
前記本部サーバが、前記代理店専用端末から引換券を発行したことの通知を受けたとき、貴金属類業者に前記引換券の発行を通知して貴金属類の引き渡しを指示する機能とを有することを特徴とする請求項１又は２記載の質屋的機能を有する賞品引換システム。
【請求項４】
遊技場に設置される遊技場専用端末と、貴金属類業者と貴金属類委託販売等契約を結んだＡＳＰ事業本部に設置される本部サーバと、景品問屋に設置される問屋サーバと、ＡＳＰ事業代理店に設置される代理店専用端末と、貴金属類の販売を行う貴金属類業者の業者サーバとから構成され、遊技機を用いて顧客が獲得した獲得品を基に賞品の貴金属類を顧客に引き換える質屋的機能を有する賞品引換システムであって、
前記遊技場専用端末が、前記顧客が獲得した獲得品数を計数して所定の換算単価を基に貴金属類の重量に換算する機能と、該換算された貴金属類の重量を含む貴金属類データをＩＣカードに記録する機能と、該ＩＣカードへ記録した前記貴金属類データを問屋サーバへ通知する機能とを有し、
前記本部サーバが、問屋サーバから通知された貴金属類データを基に貴金属類を景品問屋に販売したことを景品問屋サーバに通知する機能と、前記代理店サーバが本部サーバに転送した、前記ＩＣカードに記録された貴金属類データの真偽を確認して貴金属類データの真偽を前記代理店サーバに通知する機能とを有し、
前記問屋サーバが、遊技場専用端末から通知された貴金属類データを基に前記本部サーバに対して購入する貴金属類データを送信する機能と、前記本部サーバから通知された貴金属類データを基に貴金属類を遊技場に販売したことを遊技場専用端末に通知する機能とを有し、
前記代理店専用端末が、前記ＩＣカードに記録された貴金属類データを本部サーバに転送する機能と、該転送により本部サーバが貴金属類データが正しいと確認したとき、該貴金属類データに含まれる貴金属類の重量を基に、当該貴金属類の引換券を発行する機能と、該引換券を発行したことを本部サーバに通知する機能とを有し、
前記本部サーバが、前記代理店専用端末から引換券を発行したことの通知を受けたとき、貴金属類業者に前記引換券の発行を通知して貴金属類の引き渡しを指示する機能とを有することを特徴とする質屋的機能を有する賞品引換システム。
【請求項５】
前記代理店専用端末が、前記貴金属類の引換券を発行する機能を実行したとき、前記ＩＣカードのデータから前記引換券を発行した貴金属類データを削除する機能を有することを特徴とする請求項４記載の質屋的機能を有する賞品引換システム。
【請求項６】
前記貴金属類が、金地金であり、前記貴金属類データが所定の換算単価を基に金地金の重量に換算された金地金の重量を含む金地金データであることを特徴とする請求項１乃至５何れかに記載の質屋的機能を有する賞品引換システム。
【請求項７】
遊技場に設置される遊技場専用端末と、貴金属類業者と貴金属類委託販売等契約を結んだＡＳＰ事業本部に設置される本部サーバと、景品問屋に設置される問屋サーバと、ＡＳＰ事業代理店に設置される代理店専用端末と、貴金属類の販売を行う貴金属類業者の業者サーバとから構成され、遊技機を用いて顧客が獲得した獲得品を基に賞品の貴金属類を顧客に引き換える質屋的機能を有する賞品引換システムの賞品引換方法であって、
前記遊技場専用端末が、前記顧客が獲得した獲得品数を計数して所定の換算単価を基に貴金属類の重量に換算する工程と、該換算された貴金属類の重量を含む貴金属類データをＩＣカードに記録する工程と、該ＩＣカードへ記録した前記貴金属類データを問屋サーバへ通知する工程とを実行し、
前記本部サーバが、問屋サーバから通知された貴金属類データを基に貴金属類を景品問屋に販売したことを景品問屋サーバに通知する工程と、前記代理店サーバが本部サーバに転送した、前記ＩＣカードに記録された貴金属類データの真偽を確認して貴金属類データの真偽を前記代理店サーバに通知する工程とを実行し、
前記問屋サーバが、遊技場専用端末から通知された貴金属類データを基に前記本部サーバに対して購入する貴金属類データを送信する工程と、前記本部サーバから通知された貴金属類データを基に貴金属類を遊技場に販売したことを遊技場専用端末に通知する工程とを実行し、
前記代理店専用端末が、前記ＩＣカードに記録された貴金属類データを本部サーバに転送する工程と、該転送により本部サーバが貴金属類データが正しいと確認したとき、該貴金属類データに含まれる貴金属類の重量を基に、当該貴金属類を質物とした貸し出し金銭額を算出する工程と、該算出した質物の質札を発行する工程とを実行することを特徴とする質屋的機能を有する賞品引換方法。
【請求項８】
前記代理店専用端末が、前記算出した質物の質札を発行する機能を実行したとき、前記ＩＣカードのデータから前記質札を発行した貴金属類データを削除する工程を実行することを特徴とする請求項７記載の質屋的機能を有する賞品引換方法。
【請求項９】
前記代理店専用端末が、前記貸し出した金銭が返却されたとき、貴金属類の重量を指定した引換券を発行する工程と、該引換券を発行したことを本部サーバに通知する工程とを実行し、
前記本部サーバが、前記代理店専用端末から引換券を発行したことの通知を受けたとき、貴金属類業者に前記引換券の発行を通知して貴金属類の引き渡しを指示する工程を実行することを特徴とする請求項７又は８記載の質屋的機能を有する賞品引換方法。
【請求項１０】
遊技場に設置される遊技場専用端末と、貴金属類業者と貴金属類委託販売等契約を結んだＡＳＰ事業本部に設置される本部サーバと、景品問屋に設置される問屋サーバと、ＡＳＰ事業代理店に設置される代理店専用端末と、貴金属類の販売を行う貴金属類業者の業者サーバとから構成され、遊技機を用いて顧客が獲得した獲得品を基に賞品の貴金属類を顧客に引き換える質屋的機能を有する賞品引換方法であって、
前記遊技場専用端末が、前記顧客が獲得した獲得品数を計数して所定の換算単価を基に貴金属類の重量に換算する工程と、該換算された貴金属類の重量を含む貴金属類データをＩＣカードに記録する工程と、該ＩＣカードへ記録した前記貴金属類データを問屋サーバへ通知する工程とを実行し、
前記本部サーバが、問屋サーバから通知された貴金属類データを基に貴金属類を景品問屋に販売したことを景品問屋サーバに通知する工程と、前記代理店サーバが本部サーバに転送した、前記ＩＣカードに記録された貴金属類データの真偽を確認して貴金属類データの真偽を前記代理店サーバに通知する工程とを実行し、
前記問屋サーバが、遊技場専用端末から通知された貴金属類データを基に前記本部サーバに対して購入する貴金属類データを送信する工程と、前記本部サーバから通知された貴金属類データを基に貴金属類を遊技場に販売したことを遊技場専用端末に通知する工程とを実行し、
前記代理店専用端末が、前記ＩＣカードに記録された貴金属類データを本部サーバに転送する工程と、該転送により本部サーバが貴金属類データが正しいと確認したとき、該貴金属類データに含まれる貴金属類の重量を基に、当該貴金属類の引換券を発行する工程と、該引換券を発行したことを本部サーバに通知する工程とを実行し、
前記本部サーバが、前記代理店専用端末から引換券を発行したことの通知を受けたとき、貴金属類業者に前記引換券の発行を通知して貴金属類の引き渡しを指示する工程を実行することを特徴とする質屋的機能を有する賞品引換方法。
【請求項１１】
前記代理店専用端末が、前記貴金属類の引換券を発行する工程を実行したとき、前記ＩＣカードのデータから前記引換券を発行した貴金属類データを削除する工程を実行することを特徴とする請求項１０記載の質屋的機能を有する賞品引換方法。
【請求項１２】
前記貴金属類が、金地金であり、前記貴金属類データが所定の換算単価を基に金地金の重量に換算された金地金の重量を含む金地金データであることを特徴とする請求項７乃至１１何れかに記載の質屋的機能を有する賞品引換方法。
【発明の詳細な説明】
【技術分野】
【０００１】
本発明は、パチンコ又はパチスロの専門店或いは両者の併設店等の遊技場（以下、「ホール」ともいう。）における質屋的機能を有する賞品引換システム及び賞品引換方法に係り、特に賞品の交換やその賞品の現金への交換を健全に行うことのできる質屋的機能を有する賞品引換システム及び賞品引換方法に関する。
【背景技術】
【０００２】
パチンコやパチスロ等（以下、総称して「パチンコ」という。）の遊技後のパチンコ玉やコイン，メダルは、「風俗営業等の規制及び業務の適正化等に関する法律（以下、「風適法」という。）」第２３条（遊技場営業者の禁止行為）第１項第３号によって、遊技の用に供する玉，メダルその他これらに類する物（以下、総称して「玉」という。）を客に営業所外に持ち出させることが禁じられている。即ち、それらをホール外へ持ち出すことが禁じられている。これが為、従来、顧客は、得た全ての玉を計数してその玉数相当のホール内にある種類の限られた一般景品と交換する。若しくは、ペンやライターの石等のいわゆる特殊景品と交換している。
【０００３】
また、上記風適法第２３条第１項第１号に、現金又は有価証券を賞品として提供することが、同項第２号に、客に提供した賞品を買い取ることが遊技場営業者の禁止行為として明記されている為、顧客が現金交換を希望する場合には、上述したが如く特殊景品と交換し、ホール外の買場にてその特殊景品を現金に交換している。ここで、買場とは、顧客が得た賞品を買い取ってその顧客に現金を渡す場所のことであり、ホールと資本関係のない別企業が経営している。この場合、その企業は買場業者といわれる。
【０００４】
この従来技術による景品買い取りシステムは、遊技場営業者と買場業者と景品業者との三業者間で運営されているシステムであって、所謂三店方式といわれるものである。この景品買い取りシステムにおいて、顧客は、得た玉を玉計数機で計数し、この玉計数機からプリントアウトされたレシートを遊技場カウンター係に持って行き、玉数相当の希望の賞品と交換してもらう。しかしながら、ホール内には限られた種類の少数の一般景品しか置いておらず、その一般景品は顧客にとって魅力の乏しいものである為、顧客の多くが現金交換を希望している。これが為、殆どの場合、カウンター係は、顧客に特殊景品を渡している。次に、顧客は、受け取った特殊景品を買場に持って行き、買場業者にその特殊景品を買い取ってもらうことによって現金を得ている。
【０００５】
この場合、景品買い取りシステムにおける買場業者は、顧客から買い取った特殊景品を景品業者に売却し、この景品業者から売却代金を徴収している。また、景品業者は、買場業者から買い取った特殊景品を遊技場営業者に売却し、この遊技場営業者から売却代金を徴収している。更に又、遊技場営業者は、顧客への貸玉料で景品購入代金と営業利益を確保している。
【０００６】
このように、前述したが如き風適法によって種々の禁止行為が明定されているので、本業界内では三店方式の如き便法が広く取り入れられ、顧客に買場で現金を手渡すように行われている。
【０００７】
また、パチンコ業界の取引体系の健全化を図るために特殊景品の現金交換という風適法上のグレーな取引を解決し、一般景品交換率を上げて現金交換率を下げる賞品引換システム及び賞品引換方法が下記特許文献により開示されている。この特許文献に記載技術は、顧客が選択したインターネット上の商品に対応した明細レシートを発行し、この明細レシートを用いて質受業務を代行する代理店であるＡＳＰ事業代理店が顧客に対して賞品引換又は現金貸付けを行う旨が記載されている。
【特許文献１】特開２００３−６２３１８号公報
【発明の開示】
【発明が解決しようとする課題】
【０００８】
しかしながら、前述の景品買い取りシステムは、特殊景品が遊技場営業者と買場業者と景品業者の三業者間を単に循環しているだけで、前述した風適法を巧みに迂回したものであって、特殊景品の現金交換という法的にはグレーといわれるグレーゾーンが存在する、という不都合があった。
【０００９】
また、市場性が全く無く且つ商品価値の無い特殊景品が単に三業者間を還流している。即ち、この賞品の景品の買い取りシステムは、風適法回避の為の便宜的な特殊景品が介在している、という不都合があった。更に又、遊技場のカウンターのスペースに限りがある為、そのスペースに用意される一般景品にも限りがあり、その少数の一般景品では顧客が希望するものが少ないので現金交換率が高くなってしまう、という不都合があった。更に一部の業者にあっては、遊技場営業者が買場業者から直接特殊景品を買い戻す所謂「自家買い」行為（上記風適法第２３条第１項第２号に抵触）が行われている、という諸々の行為に法的グレーさがあり、不都合があった。
【００１０】
また、かつて株式市場に上場できない業界として消費者金融業界，商品先物取引業界並びにパチンコ業界の三つの業界が挙げられていた。この内、前者の二つの業界とパチンコ業界の内の遊技台の製造メーカやパチンコプリペードカードの発行及び同販売会社は、既に上場を果たしているが、特殊景品を用いた現金交換が法的にグレーであるという観点から、未だに遊技場経営会社は株式公開できない、という不都合があった。このことは、製造メーカ他が上場を果たしていることを考えると、同じパチンコ業界に属していながら甚だ不可解であり不公平であるにも拘らず、上記従来例の景品買い取りシステムでは解決することができなかった。
【００１１】
更に前述の特許文献記載の技術は、顧客が選択したインターネット上の商品に対応した明細レシートを発行し、この明細レシートを用いて質受業務を代行する代理店であるＡＳＰ事業代理店が顧客に対して賞品引換又は現金貸付けを行うことにより、特殊景品の現金交換という風適法上のグレーな取引を解決し、一般景品交換率を上げて現金交換率を下げることができるものの、インターネット上の商品を取り扱うために顧客のインターネット操作が繁雑であり、現金交換を希望する顧客の興味を充分にひくことが困難であるという不具合があった。
【００１２】
本発明は、かかる従来例の有する不都合を改善し、パチンコ業界の取引体系の健全化を図ることができる賞品引換システム及び賞品引換方法を提供することを目的とする。具体的には、特殊景品の現金交換という風適法上のグレーな取引を解決し、一般景品交換率を上げて現金交換率を下げ、従来の買場に相当するＡＳＰ事業代理店での現金交換を合法的に行い、上記不都合、不具合を排除した質屋的機能を有する賞品引換システム及び賞品引換方法を提供することを目的とする。
【課題を解決するための手段】
【００１３】
前記目的達成するために本発明は、遊技場に設置される遊技場専用端末と、貴金属類業者と貴金属類委託販売等契約を結んだＡＳＰ事業本部に設置される本部サーバと、景品問屋に設置される問屋サーバと、ＡＳＰ事業代理店に設置される代理店専用端末と、貴金属類の販売を行う貴金属類業者の業者サーバとから構成され、遊技機を用いて顧客が獲得した獲得品を基に賞品の貴金属類を顧客に引き換える質屋的機能を有する賞品引換システムであって、
前記遊技場専用端末が、前記顧客が獲得した獲得品数を計数して所定の換算単価を基に貴金属類の重量に換算する機能と、該換算された貴金属類の重量を含む貴金属類データをＩＣカードに記録する機能と、該ＩＣカードへ記録した前記貴金属類データを問屋サーバへ通知する機能とを有し、
前記本部サーバが、問屋サーバから通知された貴金属類データを基に貴金属類を景品問屋に販売したことを景品問屋サーバに通知する機能と、前記代理店サーバが本部サーバに転送した、前記ＩＣカードに記録された貴金属類データの真偽を確認して貴金属類データの真偽を前記代理店サーバに通知する機能とを有し、
前記問屋サーバが、遊技場専用端末から通知された貴金属類データを基に前記本部サーバに対して購入する貴金属類データを送信する機能と、前記本部サーバから通知された貴金属類データを基に貴金属類を遊技場に販売したことを遊技場専用端末に通知する機能とを有し、
前記代理店専用端末が、前記ＩＣカードに記録された貴金属類データを本部サーバに転送する機能と、該転送により本部サーバが貴金属類データが正しいと確認したとき、該貴金属類データに含まれる貴金属類の重量を基に、当該貴金属類を質物とした貸し出し金銭額を算出する機能と、該算出した質物の質札を発行する機能とを有することを第１の特徴とする。
【００１４】
また本発明は、前記特徴の賞品引換システムにおいて、前記代理店専用端末が、前記算出した質物の質札を発行する機能を実行したとき、前記ＩＣカードのデータから前記質札を発行した貴金属類データを削除する機能を有することを第２の特徴とし、前記何れかの特徴の賞品引換システムにおいて、前記代理店専用端末が、前記貸し出した金銭が返却されたとき、貴金属類の重量を指定した引換券を発行する機能と、該引換券を発行したことを本部サーバに通知する機能とを有し、前記本部サーバが、前記代理店専用端末から引換券を発行したことの通知を受けたとき、貴金属類者に前記引換券の発行を通知して貴金属類の引き渡しを指示する機能とを有することを第３の特徴とする。
【００１５】
更に本発明は、遊技場に設置される遊技場専用端末と、貴金属類業者と貴金属類委託販売等契約を結んだＡＳＰ事業本部に設置される本部サーバと、景品問屋に設置される問屋サーバと、ＡＳＰ事業代理店に設置される代理店専用端末と、貴金属類の販売を行う貴金属類業者の業者サーバとから構成され、遊技機を用いて顧客が獲得した獲得品を基に賞品の貴金属類を顧客に引き換える質屋的機能を有する賞品引換システムであって、
前記遊技場専用端末が、前記顧客が獲得した獲得品数を計数して所定の換算単価を基に貴金属類の重量に換算する機能と、該換算された貴金属類の重量を含む貴金属類データをＩＣカードに記録する機能と、該ＩＣカードへ記録した前記貴金属類データを問屋サーバへ通知する機能とを有し、
前記本部サーバが、問屋サーバから通知された貴金属類データを基に貴金属類を景品問屋に販売したことを景品問屋サーバに通知する機能と、前記代理店サーバが本部サーバに転送した、前記ＩＣカードに記録された貴金属類データの真偽を確認して貴金属類データの真偽を前記代理店サーバに通知する機能とを有し、
前記問屋サーバが、遊技場専用端末から通知された貴金属類データを基に前記本部サーバに対して購入する貴金属類データを送信する機能と、前記本部サーバから通知された貴金属類データを基に貴金属類を遊技場に販売したことを遊技場専用端末に通知する機能とを有し、
前記代理店専用端末が、前記ＩＣカードに記録された貴金属類データを本部サーバに転送する機能と、該転送により本部サーバが貴金属類データが正しいと確認したとき、該貴金属類データに含まれる貴金属類の重量を基に、当該貴金属類の引換券を発行する機能と、該引換券を発行したことを本部サーバに通知する機能とを有し、
前記本部サーバが、前記代理店専用端末から引換券を発行したことの通知を受けたとき、貴金属類業者に前記引換券の発行を通知して貴金属類の引き渡しを指示する機能とを有することを第４の特徴とする。
【００１６】
また本発明は、前記何れかの特徴の賞品引換システムにおいて、前記代理店専用端末が、前記貴金属類の引換券を発行する機能を実行したとき、前記ＩＣカードのデータから前記引換券を発行した貴金属類データを削除する機能を有することを第５の特徴とし、前記第４又は５の特徴の賞品引換システムにおいて、前記貴金属類が、金地金であり、前記貴金属類データが所定の換算単価を基に金地金の重量に換算された金地金の重量を含む金地金データであることを第６の特徴とする。
更に本発明は、遊技場に設置される遊技場専用端末と、貴金属類業者と貴金属類委託販売等契約を結んだＡＳＰ事業本部に設置される本部サーバと、景品問屋に設置される問屋サーバと、ＡＳＰ事業代理店に設置される代理店専用端末と、貴金属類の販売を行う貴金属類業者の業者サーバとから構成され、遊技機を用いて顧客が獲得した獲得品を基に賞品の貴金属類を顧客に引き換える質屋的機能を有する賞品引換システムの賞品引換方法であって、
前記遊技場専用端末が、前記顧客が獲得した獲得品数を計数して所定の換算単価を基に貴金属類の重量に換算する工程と、該換算された貴金属類の重量を含む貴金属類データをＩＣカードに記録する工程と、該ＩＣカードへ記録した前記貴金属類データを問屋サーバへ通知する工程とを実行し、
前記本部サーバが、問屋サーバから通知された貴金属類データを基に貴金属類を景品問屋に販売したことを景品問屋サーバに通知する工程と、前記代理店サーバが本部サーバに転送した、前記ＩＣカードに記録された貴金属類データの真偽を確認して貴金属類データの真偽を前記代理店サーバに通知する工程とを実行し、
前記問屋サーバが、遊技場専用端末から通知された貴金属類データを基に前記本部サーバに対して購入する貴金属類データを送信する工程と、前記本部サーバから通知された貴金属類データを基に貴金属類を遊技場に販売したことを遊技場専用端末に通知する工程とを実行し、
前記代理店専用端末が、前記ＩＣカードに記録された貴金属類データを本部サーバに転送する工程と、該転送により本部サーバが貴金属類データが正しいと確認したとき、該貴金属類データに含まれる貴金属類の重量を基に、当該貴金属類を質物とした貸し出し金銭額を算出する工程と、該算出した質物の質札を発行する工程とを実行することを第７の特徴とする。
【００１７】
また本発明は、前記賞品引換方法において、前記代理店専用端末が、前記算出した質物の質札を発行する機能を実行したとき、前記ＩＣカードのデータから前記質札を発行した貴金属類データを削除する工程を実行することを第８の特徴とし、前記何れかの特徴の賞品引換方法において、前記代理店専用端末が、前記貸し出した金銭が返却されたとき、貴金属類の重量を指定した引換券を発行する工程と、該引換券を発行したことを本部サーバに通知する工程とを実行し、前記本部サーバが、前記代理店専用端末から引換券を発行したことの通知を受けたとき、貴金属類業者に前記引換券の発行を通知して貴金属類の引き渡しを指示する工程を実行することを第９の特徴とする。
【００１８】
更に本発明は、遊技場に設置される遊技場専用端末と、貴金属類業者と貴金属類委託販売等契約を結んだＡＳＰ事業本部に設置される本部サーバと、景品問屋に設置される問屋サーバと、ＡＳＰ事業代理店に設置される代理店専用端末と、貴金属類の販売を行う貴金属類業者の業者サーバとから構成され、遊技機を用いて顧客が獲得した獲得品を基に賞品の貴金属類を顧客に引き換える質屋的機能を有する賞品引換方法であって、
前記遊技場専用端末が、前記顧客が獲得した獲得品数を計数して所定の換算単価を基に貴金属類の重量に換算する工程と、該換算された貴金属類の重量を含む貴金属類データをＩＣカードに記録する工程と、該ＩＣカードへ記録した前記貴金属類データを問屋サーバへ通知する工程とを実行し、
前記本部サーバが、問屋サーバから通知された貴金属類データを基に貴金属類を景品問屋に販売したことを景品問屋サーバに通知する工程と、前記代理店サーバが本部サーバに転送した、前記ＩＣカードに記録された貴金属類データの真偽を確認して貴金属類データの真偽を前記代理店サーバに通知する工程とを実行し、
前記問屋サーバが、遊技場専用端末から通知された貴金属類データを基に前記本部サーバに対して購入する貴金属類データを送信する工程と、前記本部サーバから通知された貴金属類データを基に貴金属類を遊技場に販売したことを遊技場専用端末に通知する工程とを実行し、
前記代理店専用端末が、前記ＩＣカードに記録された貴金属類データを本部サーバに転送する工程と、該転送により本部サーバが貴金属類データが正しいと確認したとき、該貴金属類データに含まれる貴金属類の重量を基に、当該貴金属類の引換券を発行する工程と、該引換券を発行したことを本部サーバに通知する工程とを実行し、
前記本部サーバが、前記代理店専用端末から引換券を発行したことの通知を受けたとき、貴金属類業者に前記引換券の発行を通知して貴金属類の引き渡しを指示する工程を実行することを第１０の特徴とする。
【００１９】
また本発明は、前記何れかの特徴の賞品引換方法において、前記代理店専用端末が、前記貴金属類の引換券を発行する工程を実行したとき、前記ＩＣカードのデータから前記引換券を発行した貴金属類データを削除する工程を実行することを第１１の特徴とし、前記何れかの特徴の賞品引換方法において、前記貴金属類が、金地金であり、前記貴金属類データが所定の換算単価を基に金地金の重量に換算された金地金の重量を含む金地金データであることを第１２の特徴とする。
【発明の効果】
【００２０】
本発明に係る質屋的機能を有する賞品引換システム及び賞品引換方法は、実際に商品価値のある金地金等の貴金属を用い、質屋営業法に基づく現金交換を可能としているため、風適法上の三店方式による黒に近いグレーゾーンの取引を解決でき、これにより娯楽を中心として楽しむことができる遊技場を築くことができ、更にパチンコ市場内の閉ざされた景品市場ではなく、社会に開かれた市場流通性のある新しい景品市場を築くことができる。
【発明を実施するための最良の形態】
【００２１】
以下、本発明による質屋的機能を有する賞品引換システム及び賞品引換方法の実施形態を図面を参照して詳細に説明する。図１は、本発明の第１の実施形態による貸付対応の賞品引換システムの構成を示す図、図２は該第１の実施形態による賞品引換システムの貸付返却及び賞品受け取り処理を説明するための図、図３は、本発明の第２の実施形態による賞品引換システムの金地金現物引換処理を説明するための図、図４は、本実施形態によるＩＣカードのデータテーブルの構成を説明するための図、図５は、本実施形態による遊技場専用端末のデータベーステーブルに格納されるデータテーブルの構成を説明するための図、図６は、本実施形態によるＡＳＰ事業本部サーバのデータベーステーブルに格納されるデータテーブルの構成を説明するための図、図７は、景品問屋サーバに格納されるデータベーステーブルのデータテーブルの構成を説明するための図、図８はＡＳＰ事業代理店のデータベーステーブルに格納されるデータテーブルの構成を説明するための図である。
［第１実施形態の賞品引換システムの構成］
【００２２】
本実施形態による質屋的機能を有する賞品引換システムは、図１に示す如く、パチンコ等の顧客が遊技を行う遊技場１と、該遊技場１における遊技の賞品である貴金属類、例えば金地金を取り扱うアプリケーションサービスプロバイダ（以下、「ＡＳＰ」と呼ぶ）事業本部４と、該ＡＳＰ事業本部４から提供される賞品（景品）の遊技場１に対する仲介を行う景品問屋３と、賞品引換に必要なアプリケーションソフトを使った事業の代理を行うＡＳＰ事業代理店２とから構成される。例えば本実施形態においては、賞品として貴金属類の一種である金地金を用い、遊技場１が、遊技の賞品として出玉換算（例えば１玉４円）の賞品額を算出し、この賞品額から手数料等を減算した賞品換算金額を算出し、この賞品換算金額から前日の金相場終値（価格）を基に金地金重量値を算出し、この金地金重量値を含む金地金データをＩＣカードのデータテーブルに格納して顧客に渡し、これを受け取った顧客が、ＡＳＰ事業代理店２において前記ＩＣカードに格納した金地金データを質草として金銭を顧客に貸し付ける様に構成されている。
【００２３】
尚、本明細書においては金地金を用いる賞品引換システムについて説明するが、本発明においては金地金に限られるものではなく、等価交換価値を客観的に評価することができるプラチナ等の貴金属であっても良く、本発明では、このような等価交換価値（金額）を客観的に評価することができるものを貴金属類と呼ぶ。
＜遊技場１の説明＞
【００２４】
前記賞品引換システムを構成する遊技場１は、遊技客である顧客１４が遊技を行う遊技機１５と、遊技場専用端末１１と、該遊技場専用端末１１の制御下において前記金地金のグラム数を含む金地金データをＩＣカード１３に記録するカードリーダライタ１２とから構成される。前記遊技場専用端末１１は、顧客１４が獲得した玉（パチンコ玉の他にパチスロのコインやメダルも含む）の数を玉計数機（図示せず）により計数した玉数を基に出玉換算（例えば１玉４円）の賞品額を算出するステップと、この賞品額から手数料等を減算した賞品換算金額を算出するステップと、この賞品換算金額から前日の金相場終値（価格）を基に金地金重量値を算出するステップと、この金地金重量値を含む金地金データをＩＣカード１３のデータテーブルに格納するステップとを実行するアプリケーションソフトが格納されている。
【００２５】
前記ＩＣカード１３は、内部に不揮発性半導体記憶素子からなるメモリを内蔵し、このメモリには、図４に示す如く、管理番号と、該管理番号を付与した日付（時刻含む）であるデータ発生日と、前記金地金のグラム数（重量値）と、前記遊技を行った遊技場に一意に付与された遊技場番号と、顧客１４が前記金地金グラム数を質草にして貸し付けを受けた任意のＡＳＰ事業代理店２毎に付与された番号であるＡＳＰ事業代理店番号と、前記貸し付けを行ったことにより金地金グラム数を削除した日付であるＩＣデータ削除日と、会員番号他のデータが格納される様に構成されているが、これらデータ構成に限られるものではない。尚、このＩＣカード１３は、顧客が遊技場／ＡＳＰ事業本部／ＡＳＰ事業代理店他において身分証明証を提示の上、購入するものであるが、遊技場経営会社が無償で身分確認の上、顧客に提供しても良い。また、このＩＣカード１３は、前記購入時等に身分証明証を提示し、ＩＣカード１３内に顧客の顔写真や個人情報等を格納することによって、ＡＳＰ事業代理店２における運転免許等の身分証明証の提示に代って使用することができる。尚、前記ＩＣカードには個人情報保護の観点から個人情報に関する情報は会員番号等の必要最低限の情報しか格納せず、顧客の住所／氏名／写真等の情報をＡＳＰ事業本部４が管理し、ＡＳＰ事業代理店２における身分照合はＡＳＰ事業代理店２がＡＳＰ事業本部４からの個人情報を基に行っても良い。
【００２６】
前記遊技場専用端末１１は、図示しないデータベーステーブルを含み、このデータベーステーブルは、図５に示す如く、前記ＩＣカード１３に新規データを書き込んだ日付であるデータ発生日（ＩＣカード内情報と同日付）と、顧客が獲得した出玉数である玉数と、前記計数日前日の金相場終値（グラム単位単価）である金地金グラム数（重量値）と、前述したＩＣカード１３に書き込んだ管理番号と、該書き込んだＩＣカード番号と、顧客の会員番号と、このＩＣカードに管理番号や金地金グラム数を書き込んだことをＡＳＰ事業本部に報告した日付であるＡＳＰ事業本部報告日とから成る金地金データから構成され、前記ＩＣカード１３に管理番号や金地金グラム数を書き込んだときの情報を含む金地金データを景品問屋３の問屋サーバ３１に送信することによって、受信した金地金データに相当する金地金の購入をＡＳＰ事業部４の本部サーバ４１に伝える機能を備える。尚、図５に示した遊技場専用端末１１のデータベーステーブルのデータ構成は図示のものに限られるものではなく、更に前記金地金データとは、本発明においては、金地金グラム数だけではなく、管理番号／ＩＣカード番号／ＡＳＰ事業本部報告日／会員番号他の他に必要な情報を含むものであっても良い。
【００２７】
また前述した遊技場専用端末１１は、前述した賞品換算金額の算出基準となる金相場終値（価格）を図示しないインターネット回線網等を介してアクセスする通信機能や、景品問屋３及びＡＳＰ事業本部４等とのデータ交信機能を有するものである。
＜ＡＳＰ事業代理店２の説明＞
【００２８】
前記ＡＳＰ事業代理店２は、質屋営業法に基づく質屋業を営むものであって、顧客１４が遊技場１にて前記金地金グラム数を含む金地金データを記録したＩＣカード１３の前記管理番号や金地金グラム数等を読み込むカードリーダライタ２１と、該カードリーダライタ２１を用いて読み込んだ前記管理番号／金地金グラム数／遊技場番号等の情報を基に、該情報が正しい情報か否か（真偽）をＡＳＰ事業本部４の本部サーバ４１に問い合わせを行い、本部サーバ４１に予め登録された管理番号／会員番号／ＩＣカード番号／金地金グラム数／遊技場番号と比較して何れも正しいとき、質屋営業法に基づく顧客の身分証明証を確認（ＩＣカード１３がこの機能を代行しても良い）の上、前記ＩＣカード１３に記録された金地金データを質草とし、金地金グラム数を基にして換算した金額を顧客１４に貸し付けるための質札を発行する代理店専用端末２０を備え、該代理店専用端末２０が発行した質札と共に前記金地金グラム数を基に換算した金額を顧客１４に貸し付けると共に、これら貸し付けデータをＡＳＰ事業本部４のサーバ４１へ報告する業務を内蔵するアプリケーションプログラムによって行うものである。
【００２９】
尚、前記ＩＣカード内情報の読み込みから顧客への貸し付け並びに質札発行までの一連の動作は、質屋業の資格を有するＡＳＰ事業代理店２に勤務する者が前記貸し付け（現金の手渡し）業務並びに質札の顧客へ渡す業務を行うものであるが、質屋業の資格を有する管理者の管理下において代理店専用端末２０が、金融機関のＡＴＭと同様の機能を用いて格納したプログラム並びに顧客身分証明証を質屋営業許可を得た業者がオンラインで身分確認を行う様に構成しても良い。前記ＡＳＰ事業代理店２は、従来と比較における買場に相当するものである。
【００３０】
このＡＳＰ事業代理店２の代理店専用端末２０は、図８に示す如く、ＩＣカード１３から読み込んだ管理番号／データ発生日／金地金グラム数／遊技場番号／会員番号他とを入力して登録し、顧客１４に質による貸し付けを行った際の質設定日と、当該質の期限と、該質が流れた場合の流質日とを登録するための複数項目と、会員番号とから成るデータテーブルを備える。
＜景品問屋３の説明＞
【００３１】
本実施形態による景品問屋３は、前記ＡＳＰ事業本部４から金地金を購入し、遊技場１に販売するものであって、前記ＡＳＰ事業本部４のサーバ４１から、遊技場専用端末１１にて入力されたデータ（図７に示す管理番号／データ発生日／金地金グラム数／遊技場番号／ＡＳＰ事業本部４からの金地金購入日／金地金の遊技場１への販売日／販売価格等のデータ）を格納するデータベーステーブルを含む問屋サーバ３１を備え、ＡＳＰ事業本部４から購入した金地金を指定された遊技場１に販売を行う業務を遂行し、これら動作は問屋サーバ３１に格納したプログラムによって行われる。これら業務は業者が人手によって行っても良い。
＜ＡＳＰ事業本部４の説明＞
【００３２】
本実施形態によるＡＳＰ事業本部４は、金地金業者５と予め金地金委託販売等契約を提携しており、景品問屋３との間で金地金データ（管理番号／金地金グラム数／遊技場番号等のデータ）を用いて金地金の販売を行うものであり、この金地金の販売は、本部サーバ４１が問屋サーバ３１から前記金地金データを受信したときに、これに応答するプログラムによって行われる。尚、前記ＡＳＰ事業本部４と金地金業者５が交わす契約は金地金委託販売契約に限られるものではなく、賞品オプション取引を行う際には賞品オプション取引契約を提携しても良い。
＜第１実施形態の動作＞
【００３３】
さて、この様に構成された第１の実施形態による賞品引換システムは、図１に示す如く、遊技場１において顧客１４が遊技機１５を用いた遊技による出玉を遊技場専用端末１１に持参（図中、符号ａ）すると、該遊技場専用端末１１が、玉計数機を用いて計数した出玉の計数値を基に出玉換算（例えば１玉４円）の賞品額を算出するステップと、この賞品額から手数料等を減算した賞品換算金額を算出するステップと、この賞品換算金額から前日の金相場終値（価格）を基に金地金重量値を算出するステップと、この金地金重量値を含む金地金データをＩＣカード１３のデータテーブルに格納するステップとを実行することによって、管理番号／データ発生日／遊技場番号／前記金地金のグラム数含む金地金データをＩＣカード１３に記録（符号ｂ１）すると共に、この記録した金地金データを景品問屋３のサーバ３１に送信（符号ｂ５）する。この金地金データを受信した景品問屋３のサーバ３１は、該金地金データをＡＳＰ事業本部４のサーバ４１に転送（符号ｂ６）する。
【００３４】
この転送を受けた本部サーバ４１は、受信した前記データを基に金地金販売のデータを景品問屋３の問屋サーバ３１に転送（符号ｂ３）することにより金地金の販売取引を行い、これを受けた景品問屋３の問屋サーバ３１は、前記データに含まれる遊技場１の遊技場専用端末１１に対して金地金の販売取引（符号ｂ４）を行う様に動作する。尚、本部サーバ４１は、金地金業者５のサーバに対して前記金地金の引換券の発行の報告（符号ｏ）も行う。
【００３５】
即ち、ＩＣカード１３に対する金地金データの入力とほぼ同時に、金地金がＡＳＰ事業本部４−景品問屋３を介して指定された遊技場１に対して販売を行う取引が行われる。
【００３６】
一方、本システムは、前記ＩＣカード１３を顧客１４がＡＳＰ事業代理店２に持参した場合、該ＡＳＰ事業代理店２が、カードリーダライタ２１を用いて前述のデータを読み取り、ＡＳＰ事業本部４のサーバ４１に転送（符号ｎ１）して金地金データの真偽を判定し、データが正しいと返信（符号ｎ２）された場合、顧客１４に対して質札の手渡し（符号ｅ１）及び現金の貸し付け（符号ｅ２）を行うことができる。次いで本システムは、前記貸し付けと同時にＩＣカード１３内の金地金データは削除される。尚、前記質札の手渡し及び現金の貸し付けは自動機又はオンライン接続による半自動機によって行っても良い。
【００３７】
尚、前記ＡＳＰ事業本部４−景品問屋３−遊技場１間における金地金の販売は、現物をやり取りする売買ではなく、データとして売買を行うものであるが、この売買は通常の取引であって商法上何ら問題はなく、更にＡＳＰ事業代理店が質屋営業法に基づく、質屋業により顧客に金銭を貸し付けるために法的に問題はなく、更にパチンコ業界における所謂「自家買い」や、「還流」や、価値のある金地金を媒体とするため「等価交換違反」に該当せず、「風俗営業等の規制及び業務の適正化等に関する法律」においても法令を遵守するものである。
【００３８】
また顧客１４が、現物の金地金を欲する際の動作は、図２に示す如く、顧客１４が借り受けた金銭と共に質札をＡＳＰ事業代理店２に返却（符号ｆ１／ｆ２）した場合、ＡＳＰ事業代理店２が、顧客１４に金地金の引換券を渡す（符号ｆ３）と共に、当該引換券を渡したことをＡＳＰ事業本部４のサーバ４１に前記データと共に転送（符号ｇ１）すると、前記サーバ４１が金地金業者５のサーバ（図示せず）に当該引換券の発行の通知（符号ｈ１）及び金地金の代金の振り込み（符号ｈ２）を行い、これを受けた金地金業者５のサーバが、顧客１４に対して金地金の郵送（符号ｉ１：宅配便も含む）を行うか、顧客１４への金地金引取店舗の通知（符号ｉ２）並びに引取店舗への引取の通知（符号ｉ３）を通じて顧客１４が金地金の引取（符号ｉ４）を行うことができる。
【００３９】
この様に本実施形態による賞品引換システムは、質屋営業法に基づく質屋業を介在することによって、「商法」／「風俗営業等の規制及び業務の適正化等に関する法律」に何ら抵触することなく、現行のパチンコ業界取引体系の健全化を図ることができる。
［第２実施形態の賞品引換システムの構成］
【００４０】
次いで本発明による賞品引換システムにおいて、顧客が遊技により取得した金地金を顧客が賞品として引き換える実施形態を図３を参照して説明する。
【００４１】
本実施形態による賞品引換システムは、図３に示す如く、前記実施形態同様に遊技場１と、金地金を取り扱うＡＳＰ事業本部４と、該ＡＳＰ事業本部４から提供される賞品（景品）の遊技場１に対する仲介を行う景品問屋３と、賞品引換に必要なアプリケーションソフトを使った事業の代理を行うＡＳＰ事業代理店２とから構成される。本実施形態においては、賞品として金地金を用い、遊技場１が、遊技の賞品として出玉換算（例えば１玉４円）の賞品額を算出し、この賞品額から手数料等を減算した賞品換算金額を算出し、この賞品換算金額から前日の金相場終値（価格）を基に金地金重量値を算出し、この金地金重量値を含む金地金データをＩＣカードのデータテーブルに格納して顧客に渡し、これを受け取った顧客が、ＡＳＰ事業代理店２において前記ＩＣカードに格納した金地金データを基に金地金と引き換えるための引換券を受け取り、該引換券を基に金地金を取得するように構成されている。
＜遊技場１の説明＞
【００４２】
前記賞品引換システムを構成する遊技場１は、遊技客である顧客１４が遊技を行う遊技機１５と、遊技場専用端末１１と、該遊技場専用端末１１の制御下において前記金地金のグラム数を含む金地金データをＩＣカード１３に記録するカードリーダライタ１２とから構成され、前記遊技場専用端末１１には、前述の実施形態同様に、顧客１４が獲得した玉（パチンコ玉の他にパチスロのコインやメダルも含む）の数を玉計数機（図示せず）により計数した玉数を基に出玉換算（例えば１玉４円）の賞品額を算出するステップと、この賞品額から手数料等を減算した賞品換算金額を算出するステップと、この賞品換算金額から前日の金相場終値（価格）を基に金地金重量値を算出するステップと、この金地金重量値を含む金地金データをＩＣカード１３のデータテーブルに格納するステップとを実行するアプリケーションソフトが格納され、前記ＩＣカード１３に記録されるデータは前記実施形態と同様に図４に示す通りである。前記遊技場専用端末１１は、図５に示すデータベーステーブルを含み、前記ＩＣカード１３に管理番号や金地金グラム数を書き込んだときの情報を景品問屋サーバ３１に送信する機能を備え、前述した賞品換算金額の算出基準となる金相場終値（価格）を図示しないインターネット回線網等を介してアクセスする通信機能や、景品問屋３及びＡＳＰ事業本部４等とのデータ交信機能を有するものであることも前記実施形態と同様である。
＜ＡＳＰ事業代理店２の説明＞
【００４３】
前記ＡＳＰ事業代理店２は、顧客１４が遊技場１にて前記金地金グラム数を記録したＩＣカード１３の前記管理番号や金地金グラム数等を読み込むカードリーダライタ２１と、該カードリーダライタ２１を用いて読み込んだ前記管理番号／金地金グラム数／遊技場番号等の情報を基に、該情報が正しい情報か否かをＡＳＰ事業本部４のサーバ４１に問い合わせを行い、正しいとき、前記ＩＣカード１３に記録された金地金データをＡＳＰ事業本部４のサーバ４１に報告すると共に当該金地金の引換券を発行するプログラムを有する代理店端末２０を備え、このＡＳＰ事業代理店２の代理店端末２０のデータベーステーブルに格納するデータは、図８に示したものと比して「質設定日」を「預かり日」と読み替え、「質期限」は商法に基づく物品預かりの期限である「期限」と読み替え、「流質日」は削除したものに相当する。
＜景品問屋３の説明＞
【００４４】
本実施形態による景品問屋３は、前述実施形態と同様に、ＡＳＰ事業本部４から金地金を購入し、遊技場１に販売するための問屋サーバ３１を備える。この購入乃至販売は、問屋サーバ３１が、遊技場専用端末１１にて入力された金地金データを受信したとき、該金地金データに含まれる金地金重量の金地金をＡＳＰ事業本部４に発注する機能と、これを受けたＡＳＰ事業本部４から送られる金地金をデータとして遊技場１に販売する機能と、この販売を遊技場１の遊技場専用端末１１に通知する機能とをもつアプリケーションプログラムを用いて行うものである。
＜ＡＳＰ事業本部４の説明＞
【００４５】
本実施形態によるＡＳＰ事業本部４は、金地金業者５と予め金地金委託販売等契約を提携しており、前記問屋サーバ３１からの発注に基づき、指定された重量の金地金を金地金業者５から購入し、景品問屋３に販売するための本部サーバ４１を備える。この購入乃至販売は、本部サーバ４１が、問屋サーバ３１から金地金データを受信したとき、該金地金データに含まれる金地金重量の金地金を金地金業者５に発注する機能と、金地金業者５から購入した金地金をデータとして景品問屋３に販売する機能と、この販売を問屋サーバ３１に通知する機能をもつアプリケーションプログラムを有する本部サーバ４１を備える。尚、このＡＳＰ事業本部４は、金地金を所定量ストックし、このストック分を景品問屋３に販売しても良い。
＜第２実施形態の動作＞
【００４６】
さて、この様に構成された第２の実施形態による賞品引換システムは、図３に示す如く、遊技場１において顧客１４が遊技機１５を用いた遊技による出玉を遊技場専用端末１１に持参（図中、符号ａ）すると、該遊技場専用端末１１が、玉計数機を用いて計数した出玉の計数値を基に出玉換算（例えば１玉４円）の賞品額を算出するステップと、この賞品額から手数料等を減算した賞品換算金額を算出するステップと、この賞品換算金額から前日の金相場終値（価格）を基に金地金重量値を算出するステップと、この金地金重量値を含む金地金データをＩＣカード１３のデータテーブルに格納するステップとを実行することによって、管理番号／データ発生日／遊技場番号／前記金地金のグラム数含む金地金データをＩＣカード１３に記録（符号ｂ１）すると共に、この記録した金地金データを景品問屋３のサーバ３１に送信（符号ｂ５）する。この金地金データを受信した景品問屋３のサーバ３１は、該金地金データをＡＳＰ事業本部４のサーバ４１に転送（符号ｂ６）し、該本部サーバ４１が、受信した前記データを基に金地金販売のデータを景品問屋３の問屋サーバ３１に転送（符号ｂ３）することにより金地金の販売取引を行い、これを受けた景品問屋３の問屋サーバ３１は、前記データに含まれる遊技場１の遊技場専用端末１１に対して金地金の販売取引（符号ｂ４）を行う様に動作することによって、ＩＣカード１３に対する金地金データの入力と同時に、金地金がＡＳＰ事業本部４−景品問屋３を介して指定された遊技場１に対して販売を行う取引が行われる。
【００４７】
他方、本システムは、前記ＩＣカード１３を顧客１４がＡＳＰ事業代理店２に持参したとき、該ＡＳＰ事業代理店２が、カードリーダライタ２１を用いて前述のデータを読み取り、ＡＳＰ事業本部４のサーバ４１に転送（符号ｎ１）してデータの真偽を判定し、データが正しいと返信（符号ｎ２）された場合、顧客１４に対して引換券の発行（符号ｋ）及びＩＣカード１３内の金地金データの削除を行うと共に、引換券を発行した旨をＡＳＰ事業本部４へ報告（符号ｎ１）する。また前記引換券を発行した後のＩＣカードはカード内のデータを削除した後、顧客に返却される。
【００４８】
前述の報告（符号ｎ１）によってＡＳＰ事業本部４は、金地金業者５のサーバに対して前記金地金の引換券の発行を報告（符号ｏ）することにより、金地金業者５のサーバが、前述の図２を用いた実施形態同様に顧客１４が金地金を郵送又は宅配便又は引取店舗にて受け取ることができる。
【００４９】
この様に本実施形態による賞品引換システムは、遊技場１にて顧客が獲得した賞品に応じた金地金を顧客が賞品（景品）として受け取ることができ、当然ながら「商法」／「風俗営業等の規制及び業務の適正化等に関する法律」に何ら抵触することなく、現行のパチンコ業界取引体系の健全化を図ることができる。
【００５０】
以上説明した如く、本発明に係る賞品引換システム及び賞品引換方法は、実際に商品価値のある金地金を現金交換用の景品として質入れを行うように構成したため、従来の如き特殊景品の現金交換という風適法上のグレーな取引を解決でき、更には商品価値の無い特殊景品を無くすことができる。そして、これによりパチンコ市場内の閉ざされた景品市場ではなく、社会に開かれた市場流通性のある新しい景品市場を築くことが可能となる。
【００５１】
また、従来例の如き特殊景品を無くし、金地金のデータを質草として使用するため、遊技場内に今までの特殊景品在庫を持たず、多種多様な一般景品を顧客に提供することができ、更にカウンター係においては、顧客に渡す景品の数量を間違うという虞を解消することができる。
【００５２】
更に所謂買場での現金交換が合法的に行えると共に「自家買い行為」を防止することもでき、従来例の如き不都合、不具合等を排除し、パチンコ業界の取引体系の健全化を図ることができる。そして、その遊技場，パチンコ・パチスロメーカーその他業界に属する企業群からなるパチンコ業界として真に社会に認められる業界となることができる、という従来にない優れた質屋的機能を有する賞品引換システム及び賞品引換方法を得ることができる。
【図面の簡単な説明】
【００５３】
【図１】本発明の第１の実施形態による質屋的機能を有する賞品引換システムの構成を示す図。
【図２】該第１の実施形態による質返還要求処理を説明するための図。
【図３】本発明の第２の実施形態による賞品引換システムの金地金現物引換処理を説明するための図。
【図４】本実施形態によるＩＣカードのデータテーブルの構成を説明するための図。
【図５】本実施形態による遊技場専用端末のデータベーステーブルに格納されるデータテーブルの構成を説明するための図。
【図６】本実施形態によるＡＳＰ事業本部サーバのデータベーステーブルに格納されるデータテーブルの構成を説明するための図。
【図７】景品問屋サーバに格納されるデータベーステーブルのデータテーブルの構成を説明するための図。
【図８】ＡＳＰ事業代理店のデータベーステーブルに格納されるデータテーブルの構成を説明するための図。
【符号の説明】
【００５４】
１：遊技場、２：事業代理店、３：景品問屋、３１：問屋サーバ、４：ＡＳＰ事業本部、４１：本部サーバ、５：金地金業者、１１：遊技場専用端末、１２：カードリーダライタ、１３：遊技機、１４：顧客、２１：カードリーダライタ。
【図１】
2007296017.tif 000003
【図２】
2007296017.tif 000004
【図３】
2007296017.tif 000005
【図４】
2007296017.tif 000006
【図５】
2007296017.tif 000007
【図６】
2007296017.tif 000008
【図７】
2007296017.tif 000009
【図８】
2007296017.tif 000010